(57)【要約】            【課題】ネジ式キャップの取り外しに手や指に負担がかからず、また握力も必要としないネジ式キャップ外し器具を提供することを目的としている。            【解決手段】  上記目的を達成するために、キャップを回転させる動作をレバーの上下可動でキャップが回転するように変換した構造にし、器具は軽量で上下に可動するレバーの扱いも手や指に負担が掛からず握力も必要としないこと。【選択図】    図３
2011084298.tif 000002
【特許請求の範囲】
【請求項１】
ネジ式キャップを緩め外すための回転動作を上下動作のレバーに変換したことを特徴とする。
【発明の詳細な説明】
【技術分野】
【０００１】
本発明は、ペットボトルなどのネジ式キャップを回転させて緩め外す動作を上下運動のレバー操作で、キャップを回転させて緩め外す器具に関するものである。
【背景技術】
【０００２】
ペットボトルなどのネジ式キャップを外す器具には、キャップに巻締める器具を装着して、この器具を手で握り締めて回転させる構成になっている。
【０００３】
他には、キャップの外周に嵌る保持孔を設けたキャップ外し具をキャップに被せて、この器具を手で握り回転させる構成になっている。
【０００４】
従来のネジ式キャップを外す器具では、キャップに装着した器具を握り締めて、尚且つ回転させるため手や指に負担がかかり握力も必要となる欠点があった。
【先行技術文献】
【特許文献】
【０００５】
【特許文献１】特開平９−４００８４号公報
【特許文献２】実用新案登録第３０６９９７０号
【発明の概要】
【発明が解決しようとする課題】
【０００６】
本発明は従来の欠点を鑑み、ネジ式キャップを緩め外すための回転を上下に可動するレバーでキャップを回転させる構造の器具にして、ネジ式キャップの取り外しに手や指に負担がかからず、また握力も必要としないネジ式キャップ外し器具を提供することを目的としている。
【課題を解決するための手段】
【０００７】
上記目的を達成するために、本発明は回転の動作を上下の動作に変換できる構造の器具にする。
【０００８】
変換する構造の器具は軽量で、上下に可動するレバーの扱いには手や指に負担が掛からず、握力も必要としないこと尚且つ取り扱いが容易であること。
【発明の効果】
【０００９】
本発明にあっては、次に列挙する効果が得られる。
（１）本発明はネジ式キャップを緩め外すためにキャップを直接回転させることなく、器具を強く握り締めたりする必要がない。
【００１０】
（２）本発明の器具は上下に可動するレバーを扱うだけで、ネジ式キャップが回転して緩み外すことができるため、手や指に負担が掛からず握力も必要としない。
【００１１】
（３）一般的なネジ式キャップ商品の、キャップの外周に合わせた本発明の器具を数種セットにすれば有効な使用効果が得られる。
【図面の簡単な説明】
【００１２】
【図１】本発明の器具をペットボトルのキャップに装着した概略図
【図２】本発明の側面断面図
【図３】本発明の上面断面図
【図４】キャップ掴みゴムの作動詳細図
【図５】キャップ掴みゴムの作動断面図
【図６】キャップ緩めレバー動作概要図
【発明を実施するための形態】
【００１３】
以下、本発明の実施の形態を図に基づいて説明する。
【実施例】
【００１４】
図１はペットボトルのキャップに本発明の器具を装着した概略図で、キャップに本発明の外筒（２）を被せる形で装着し、図６のキャップ緩めレバー動作概要図のキャップ緩めレバー（１）の位置からキャップ緩めレバー（２０）の位置までレバーを可動させると内筒（１１）が上面から見て、左回転し内筒（１１）に掴まれたペットボトルキャップ（５）が同様に左回転してキャップを緩め外すことができる。
【００１５】
図２は本発明の側面断面図で、キャップ緩めレバー（１）は左右の回転軸（３）で固定され、この回転軸（３）はベアリング（６）を介して図２の左側は回転ギアー（７）に右側は回転ギアー（８）に直結している。キャップ緩めレバー（１）をキャップ緩めレバー（２０）の位置に可動させると回転ギアー（７）は右回転し、回転ギアー（８）は左回転をする。なお、この回転ギアー（７）と連結した回転ギアー連動歯型（９）を回転ギアー（７）の上面に内筒（１１）に固定して設ける。一方、回転ギアー（８）と連結した回転ギアー連動歯型（１０）を回転ギアー（８）の下面に内筒（１１）に固定して設ける。
【００１６】
図３は本発明の上面断面図で、回転ギアー（７）の上面に連結した回転ギアー連動歯型（９）は内筒（１１）に固定しているため、回転ギアー（７）の右回転で回転ギアー連動歯型（９）を介して内筒（１１）は左回転する。同時に回転ギアー（８）の下面に連結した回転ギアー連動歯型（１０）は、内筒（１１）に固定しているため、回転ギアー（８）の左回転で回転ギアー連動歯型（１０）を介して内筒（１１）も左回転する。結果、キャップ緩めレバー（１）をキャップ緩めレバー（２０）の位置に可動させると回転ギアー（７）と回転ギアー（８）によって両サイドから内筒（１１）を安定した形で左回転させる作用が発生する。
キャップ掴みゴム（１２）と板バネ（１４）を、キャップ掴みゴム（１５）と板バネ（１７）を組み合わせて、内筒（１１）に固定した形にする。また、外筒（２）の内側に突起部（１８）および突起部（１９）をキャップ掴みゴム（１２）とキャップ掴みゴム（１５）との、それぞれの位置関係で設けることで内筒（１１）が左回転すると外筒（２）の内側に設けた突起部（１８）によってキャップ掴みゴム（１２）が、突起部（１９）によってキャップ掴みゴム（１５）が内筒（１１）の内側へ押し込まれる。この時、キャップ掴みゴム（１２）はキャップ掴みゴム挿入口（１３）に、キャップ掴みゴム（１５）はキャップ掴みゴム挿入口（１６）にそれぞれ入り込んで、ペットボトルキャップ（５）を掴むように密着する。この状態で内筒（１１）が左回転を継続することで、ペットボトルキャップ（５）も左回転して緩み外すことができる。なお、キャップ緩めレバー（２０）の位置になるとキャップ掴みゴム（１２）は突起部（１８）の押しが開放されて、板バネ（１４）によってキャップ掴みゴム挿入口（１３）からキャップ掴みゴム（１２）は元の位置に戻る。同時にキャップ掴みゴム（１５）も突起部（１９）の押しが開放されて、板バネ（１７）によってキャップ掴みゴム挿入口（１６）からキャップ掴みゴム（１５）は元の位置に戻る。キャップ掴みゴム（１２）、キャップ掴みゴム（１５）が元の位置に戻ることで、ペットボトルキャップ（５）を掴み密着していた状態がなくなり、キャップ緩めレバー（２０）の位置で本発明のネジ式キャップ外し器具をペットボトル（４）から脱着することができる。
【００１７】
図４はキャップ掴みゴムの作動詳細図で、図５はキャップ掴みゴムの作動断面図ある。内筒（１１）とキャップ掴みゴム（１２）、キャップ掴みゴム挿入口（１３）ならびに板バネ（１４）は一体化した構造で内筒（１１）が左回転すると外筒（２）に固定した突起部（１８）で板バネ（１４）が押さえつけられ、板バネ（１４）に固定されたキャップ掴みゴム（１２）はキャップ掴みゴム挿入口（１３）へ入り込んで内筒（１１）内部のペットボトルキャップ（５）を握り締める。
【産業上の利用可能性】
【００１８】
飲料水や洗剤などの他、液体性の品物は多種多様にネジ式キャップが用いられていて、度々の開閉が必要な商品が多く、本発明の器具は手や指に負担が掛からず握力も必要としないため、ネジ式キャップの開閉では苦労される高齢者の方々には利用価値の大きい器具になる。
【符号の説明】
【００１９】
１      キャップ緩めレバー
２      外筒
３      回転軸
４      ペットボトル
５      ペットボトルキャップ
６      ベアリング
７      回転ギアー
８      回転ギアー
９      回転ギアー連動歯型
１０      回転ギアー連動歯型
１１      内筒
１２      キャップ握りゴム
１３      キャップ握りゴム挿入口
１４      板バネ
１５      キャップ握りゴム
１６      キャップ握りゴム挿入口
１７      板バネ
１８      突起部
１９      突起部
２０      キャップ緩めレバー
【図１】
2011084298.tif 000003
【図２】
2011084298.tif 000004
【図３】
2011084298.tif 000005
【図４】
2011084298.tif 000006
【図５】
2011084298.tif 000007
【図６】
2011084298.tif 000008
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
ネジ式キャップに装着される内筒と、この内筒に相対的に回転自在に装着された外筒と、外筒に上下方向に揺動自在に装着されたレバーと、前記レバーの揺動を内筒の回転移動に変換するための回転ギアー及び回転ギアー連動歯型とを備え、回転ギアーはレバーの揺動によって回動され、回転ギアー連動歯型は内筒に設けられて回転ギアーに噛合わされ、レバーを下方に揺動すると、回転ギアー及び回転ギアー連動歯型を介して、内筒が外筒に対して緩み方向に回動されることを特徴とするネジ式キャップの外し器具。
【請求項２】
内筒の一部にはゴム挿入口が設けられ、このゴム挿入口に板バネに支持されたキャップ掴みゴムが設けられ、また外筒の内側には突起部が設けられ、レバーを下方に揺動して内筒が緩み方向に回動されると、外筒の突起部が内筒の板バネに作用し、板バネに支持されたキャップ掴みゴムは内筒のゴム挿入口を通してネジ式キャップを掴むように作用することを特徴とする請求項１に記載のネジ式キャップの外し器具。
【手続補正２】
【補正対象書類名】明細書
【補正対象項目名】０００８
【補正方法】変更
【補正の内容】
【０００８】
上記目的を達成するために請求項１の発明では、ネジ式キャップに装着される内筒と、この内筒に相対的に回転自在に装着された外筒と、外筒に上下方向に揺動自在に装着されたレバーと、前記レバーの揺動を内筒の回転移動に変換するための回転ギアー及び回転ギアー連動歯型とを備え、回転ギアーはレバーの揺動によって回動され、回転ギアー連動歯型は内筒に設けられて回転ギアーに噛合わされ、レバーを下方に揺動すると、回転ギアー及び回転ギアー連動歯型を介して、内筒が外筒に対して緩み方向に回動されることを特徴とする。
【手続補正３】
【補正対象書類名】明細書
【補正対象項目名】０００９
【補正方法】変更
【補正の内容】
【０００９】
次に請求項２の発明では、請求項１に記載のネジ式キャップの外し器具の内筒の一部にはゴム挿入口が設けられ、このゴム挿入口に板バネに支持されたキャップ掴みゴムが設けられ、また外筒の内側には突起部が設けられ、レバーを下方に揺動して内筒が緩み方向に回動されると、外筒の突起部が内筒の板バネに作用し、板バネに支持されたキャップ掴みゴムは内筒のゴム挿入口を通してネジ式キャップを掴むように作用することを特徴とする。